(57)【特許請求の範囲】
【請求項１】
配電変圧器に接続された高圧線から柱上変圧器を介して接続された複数の低圧線を有した配電線の電力供給側を電源側とし電力受電側を負荷側とし、前記高圧線から前記低圧線に電力を供給する配電系統の前記高圧線及び前記低圧線の断線を検出する配電系統断線検出システムにおいて、
前記低圧線から引込線を介して接続される各需要家の受電端に設けられ少なくとも電圧値を計測し計測した電圧値を送信する機能を有した計器と、
前記計器で計測された電圧値を受信し前記計器の電圧値に基づいて前記高圧線の断線箇所を探索する高圧線断線箇所探索部と、
前記計器で計測された電圧値を受信し前記計器の電圧値に基づいて前記低圧線の断線箇所を探索する低圧線断線箇所探索部とを備え、
前記高圧線断線箇所探索部は、前記配電線の断線の検出要求があったときに起動され、前記低圧線の末端計器の電圧値を判定し、前記低圧線の末端計器の電圧値が異常であるときはその低圧線の柱上変圧器を電圧異常変圧器とし、前記低圧線の末端計器の電圧値が正常であるときはその低圧線の柱上変圧器を電圧正常変圧器とし、隣接する最も前記負荷側の前記電圧正常変圧器と最も前記電源側の前記電圧異常変圧器との間の高圧線に断線の可能性があると判定し、
前記低圧線断線箇所探索部は、前記高圧線断線箇所探索部で前記電圧異常変圧器が１以下であるときに起動され、前記低圧線に接続される計器の電圧値を判定し、電圧値が異常である計器を電圧異常計器とし、電圧値が正常である計器を電圧正常計器とし、隣接する最も前記負荷側の前記電圧正常計器と最も前記電源側の前記電圧異常計器との間の低圧線に断線の可能性があると判定することを特徴とする配電系統断線検出システム。
【請求項２】
前記低圧線断線箇所探索部は、
前記低圧線のすべての計器が電圧異常計器であるときは最も電源側の電圧異常計器より電源側の低圧線か、柱上変圧器及び高圧線の断線と判定することを特徴とする請求項１に記載の配電系統断線検出システム。
【請求項３】
前記低圧線断線箇所探索部は、前記電圧異常計器が１つのみであるときは最も電源側の電圧異常計器及び最も負荷側の電圧正常計器との間の低圧線か、引込線の断線または柱上ヒューズ切れと判定することを特徴とする請求項１または請求項２に記載の配電系統断線検出システム。
【請求項４】
前記高圧線断線箇所探索部は、前記配電系統が前記柱上変圧器として電灯変圧器のみを接続した電灯配電系統である場合には、前記負荷側から前記電源側に向けて前記低圧線の末端計器の電圧値を順番に判定し、隣接する最も前記負荷側の前記電圧正常変圧器と最も前記電源側の前記電圧異常変圧器との間の高圧線に断線の可能性があると判定した後に、前記電圧正常変圧器より前記電源側の前記低圧線の末端計器の電圧値を確認して前記電源側に新たな電圧異常変圧器があるか否かを確認し、新たな電圧異常変圧器がない場合は、先に判定した隣接する最も前記負荷側の前記電圧正常変圧器と最も前記電源側の前記電圧異常変圧器との間の高圧線に断線があると判定し、新たな電圧異常変圧器がある場合は、再度、隣接する最も前記負荷側の前記電圧正常変圧器と最も前記電源側の前記電圧異常変圧器とを探索することを特徴とする請求項１乃至３のいずれか１項に記載の配電系統断線検出システム。
【請求項５】
前記高圧線断線箇所探索部及び前記低圧線断線箇所探索部は、前記計器の電圧を受信できないときは、前記計器の電圧は異常であると判定することを特徴とする請求項１乃至請求項４のいずれか１項に記載の配電系統断線検出システム。
【発明の詳細な説明】
【技術分野】
【０００１】
本発明は、配電変圧器に接続された高圧線から柱上変圧器を介して低圧線に電力を供給する配電線の断線を検出する配電系統断線検出システムに関する。
【背景技術】
【０００２】
配電系統で断線が発生すると配電線の電圧が低下する傾向にあり、主に需要者からの報告を受けて電力会社の巡視員が現地調査を行うことで断線箇所を発見するようにしている。また、台風や雷などの自然現象が発生した場合に配電線に断線が発生した可能性があるので、そのような場合も電力会社の巡視員が現地調査を行うこととしている。このように、配電線の断線の探索は、配電線の断線兆候がある場合に実施される。
【０００３】
配電線の断線を自動的に検出するものとして、各々の需要家で消費される電力或いは需要家で受電される電圧に係る情報を各々の需要家に設置された検針装置で集計し、集計した電力或いは電圧を断線箇所判定装置に送信し、断線箇所判定装置により、各々の電圧或いは電力に係る情報に基づいて断線箇所或いは断線領域を特定するようにしたものがある（例えば、特許文献１参照）。
【先行技術文献】
【特許文献】
【０００４】
【特許文献１】特開２０１１−２５０５８０号公報
【発明の概要】
【発明が解決しようとする課題】
【０００５】
しかし、特許文献１のものでは、検針装置の高性能化が必要となる。断線判定するために２４時間に渡って消費電力量及び電圧値を記憶し逐次読み出すことで断線判定閾値を計算し判定する必要がある。断線後の状態においても確実な通信により断線アラームを発呼する必要があるため、バッテリー搭載等の通信電力の確保策が必要である。
【０００６】
また、検針装置や断線箇所判定装置には高性能通信機能が必要となる。発呼したすべての検針装置の断線アラームを断線箇所判定装置で収集し解析する必要があるため、瞬時に多くのデータを通信可能とする必要がある。
【０００７】
さらには、検針装置の接続相の管理が必要となる。断線区間を判定するために、アラーム属性データには、断線区間判定テーブルを作成するために必要な情報、例えば検針装置と需要家と変圧器の対応データベースや、変圧器とそれが接続される高圧系統の接続相の対応データベースなどが必要となる。
【０００８】
本発明の目的は、各需要家に設置された計器の演算処理を軽減でき、計器と断線箇所探索部との通信処理も軽減でき、変圧器及び計器の接続相の管理も不要である配電系統断線検出システムを提供することである。
【課題を解決するための手段】
【０００９】
本発明の配電系統断線検出システムは、配電変圧器に接続された樹枝状の高圧線から柱上変圧器を介して分岐した複数の低圧線を有し、電力供給側を電源側とし電力受電側を負荷側とし、前記高圧線から前記低圧線に電力を供給する配電系統の前記高圧線及び前記低圧線の断線を検出する配電系統断線検出システムにおいて、前記低圧線から引込線を介して接続される各需要家の受電端に設けられ少なくとも電圧を計測し計測した電圧を送信する機能を有した計器と、前記計器で計測された電圧を受信し前記計器の電圧に基づいて前記高圧線の断線箇所を探索する高圧線断線箇所探索部と、前記計器で計測された電圧を受信し前記計器の電圧に基づいて前記低圧線の断線箇所を探索する低圧線断線箇所探索部とを備え、前記高圧線断線箇所探索部は、前記配電線の断線の検出要求があったときに起動され、前記低圧線末端の計器の電圧を判定し、前記低圧線末端の計器の電圧が異常であるときはその低圧線の柱上変圧器を電圧異常変圧器とし、前記低圧線末端の計器の電圧が正常であるときはその低圧線の柱上変圧器を電圧正常変圧器とし、隣接する最も前記負荷側の前記電圧正常変圧器と最も前記電源側の前記電圧異常変圧器との間の高圧線に断線の可能性があると判定し、前記低圧線断線箇所探索部は、前記高圧線断線箇所探索部で前記電圧異常変圧器が１以下であるときに起動され、前記低圧線に接続される計器の電圧を判定し、電圧が異常である計器を電圧異常計器とし、電圧が正常である計器を電圧正常計器とし、隣接する最も前記負荷側の前記電圧正常計器と最も前記電源側の前記電圧異常計器との間の低圧線に断線の可能性があると判定することを特徴とする。
【発明の効果】
【００１０】
本発明によれば、断線箇所の探索を需要家側の計器ではなく、高圧線断線箇所探索部や低圧線断線箇所探索部で行うので、計器の演算処理を軽減できる。また、高圧線断線箇所探索部は配電線の断線の検出要求があったときに起動され、低圧線断線箇所探索部も高圧線断線箇所探索部により起動されるので、計器から高圧線断線箇所探索部や低圧線断線箇所探索部に送信する情報は断線箇所の探索の際のみとなり、さらには、断線箇所の探索に必要とする情報は計器の電圧のみであるので、通信処理も大幅に軽減でき、計器が接続される電圧から断線箇所を判断可能であるので、変圧器及び計器の接続相を管理する必要がない。
【図面の簡単な説明】
【００１１】
【図１】本発明の実施形態に係る配電系統断線検出システムの構成図。
【図２】本発明の実施形態における高圧線断線箇所探索部が高圧線の断線箇所探索の際にデータ（電圧）を取り込む計器の説明図。
【図３】配電線の高圧線に断線が発生した場合の柱上変圧器、低圧線及び計器の様相の説明図。
【図４】配電線の高圧線に断線がなく高圧線断線箇所探索部により１つの電圧異常変圧器が有りと判定された場合の柱上変圧器、低圧線及び計器の様相の説明図。
【図５】本発明の実施形態における低圧線断線箇所探索部が主に低圧線側の断線箇所探索の際にデータ（電圧）を取り込む計器の説明図。
【図６】高圧線断線箇所探索部で電圧異常変圧器がないと判定されたときの低圧線断線箇所探索部の断線探索の説明図。
【図７】本発明の実施形態に係る配電系統断線検出システムを柱上変圧器が動力変圧器のみからなる配電線に適用した場合の高圧線断線箇所探索部の断線探索の処理内容の一例を示すフローチャート。
【図８】本発明の実施形態に係る配電系統断線検出システムを柱上変圧器が動力変圧器のみからなる配電線に適用した場合の低圧線断線箇所探索部の断線探索の処理内容の一例を示すフローチャート。
【図９】本発明の実施形態に係る配電系統断線検出システムを柱上変圧器が電灯変圧器のみからなる配電線に適用した場合の高圧線断線箇所探索部の断線探索の概略説明図である。
【図１０】本発明の実施形態に係る配電系統断線検出システムを柱上変圧器が電灯変圧器のみからなる配電線に適用した場合の高圧線断線箇所探索部の断線探索の処理内容の一例を示すフローチャート。
【図１１】本発明の実施形態に係る配電系統断線検出システムを柱上変圧器が電灯変圧器のみからなる配電線に適用した場合の低圧線断線箇所探索部の断線探索の処理内容の一例を示すフローチャート。
【図１２】本発明の実施形態に係る配電系統断線検出システムを柱上変圧器が動力変圧器と電灯変圧器とが混在してなる配電線に適用した場合の高圧線断線箇所探索部の断線探索の処理内容の一例を示すフローチャート。
【図１３】図１２における電灯変圧器の探索（ａ）の処理内容の一例を示すフローチャート。
【図１４】図１２における電灯変圧器の探索（ｂ）の処理内容の一例を示すフローチャート。
【発明を実施するための形態】
【００１２】
以下、本発明の実施形態を説明する。図１は本発明の実施形態に係る配電系統断線検出システムの構成図である。変電所の配電変圧器１１は遮断器１２を介して高圧線１３に接続されている。高圧線１３には開閉器１４ａ、１４ｂ、１４ｃが設けられ、開閉器１４ａ、１４ｂは常時閉じており、開閉器１４ｃは常時開いている。開閉器１４ｃは図示省略の他の配電線と電力を融通する場合に閉じられる。高圧線１３からは柱上変圧器１５ａ〜１５ｆを介して降圧した複数の低圧線１６ａ〜１６ｆが接続されている。
【００１３】
低圧線１６ａ〜１６ｆには、それぞれ引込線を介して需要家の負荷が接続され、その負荷の受電端には計器Ｓが接続されている。図１では負荷の図示を省略し、計器Ｓのみを図示している。すなわち、低圧線１６ａには負荷に対応して計器Ｓａ１〜Ｓａ３が接続され、低圧線１６ｂには負荷に対応して計器Ｓｂ１〜Ｓｂ４が接続され、低圧線１６ｃには負荷に対応して計器Ｓｃ１〜Ｓｃ３が接続されている。以下同様に、低圧線１６ｄには負荷に対応して計器Ｓｄ１〜Ｓｄ４が接続され、低圧線１６ｅには負荷に対応して計器Ｓｅ１〜Ｓｅ４が接続され、低圧線１６ｆには負荷に対応して計器Ｓｆ１〜Ｓｆ４が接続されている。負荷に対応して設けられたこれらの計器Ｓは負荷の受電端の電圧を計測し、その計測した電圧を送信する機能を有している。
【００１４】
高圧線断線箇所探索部１７は、配電線の断線の検出要求があったときに起動される。この配電線の断線の検出要求は、配電線の断線兆候があった場合に高圧線断線箇所探索部１７に入力される。例えば、需要家からの報告があった場合や台風や雷などの自然現象が発生した場合に高圧線断線箇所探索部１７に入力される。高圧線断線箇所探索部１７は起動がかけられると、データ受信部１８を介して計器Ｓで計測された電圧を受信し、計器Ｓの電圧に基づいて高圧線１３の断線箇所を探索する。そして、探索結果を必要に応じて出力装置１９に出力する。
【００１５】
また、低圧線断線箇所探索部２０は高圧線断線箇所探索部１７により起動され、起動がかけられると、計器Ｓで計測された電圧を受信し、計器Ｓの電圧に基づいて低圧線１６ａ〜１６ｆの断線箇所を探索する。そして、探索結果を必要に応じて出力装置１９に出力する。
【００１６】
ここで、高圧線断線箇所探索部１７は、基本的には、低圧線１６末端の計器Ｓの電圧を取得し電圧の正常異常を判定する。そして、低圧線１６末端の計器Ｓの電圧が正常であるときはその低圧線１６の柱上変圧器１５を電圧正常変圧器とし、一方、低圧線１６末端の計器Ｓの電圧が異常であるときはその低圧線１６の柱上変圧器１５を電圧異常変圧器とする。そして、最終的には、最も負荷側の電圧正常変圧器と最も電源側の電圧異常変圧器とが隣接するか否かを判定し、隣接するときは、その電圧正常変圧器と電圧異常変圧器との間の高圧線に断線の可能性があると判定する。これは、電圧正常変圧器より電源側の柱上変圧器１５は電圧正常変圧器であると考えられ、電圧異常変圧器より負荷側の柱上変圧器１５は断線により電圧異常変圧器となっていると考えられるからである。図１中の点線で囲った計器Ｓが高圧線断線箇所探索部１７による断線箇所の探索で電圧の正常異常の判定の対象候補となる低圧線１６末端の計器である。ここで、高圧線断線箇所探索部１７における電源側とは高圧線の特定位置から見て電力供給側をいい、負荷側とは高圧線の特定位置から見て電力受電側をいう。また、低圧線断線箇所探索部２０における電源側とは低圧線の特定位置から見て柱上変圧器側をいい、負荷側とは低圧線の特定位置から見て低圧線末端側をいう。
【００１７】
変電所の配電変圧器１１には、三相変圧器が用いられる。配電変圧器２次側の高圧線には、柱上変圧器として動力変圧器や電灯変圧器が接続されている。一般に、柱上動力変圧器は三相変圧器、柱上電灯変圧器は単相変圧器である。また、柱上動力変圧器の低圧側は三相３線式、柱上電灯変圧器の低圧側は単相３線式となる。
【００１８】
そこで、柱上変圧器が動力変圧器である場合には、高圧線の３相から低圧側に３つの線間（３線間）電圧を取り出し、低圧側の低圧線には３線間から電力が供給される。すなわち、高圧線の３相から３つの２相間の線間電圧を取り出す。これにより、動力の低圧線には柱上変圧器である動力変圧器から３線間にて電力が供給される。
【００１９】
一方、柱上変圧器が電灯変圧器である場合には、動力変圧器の場合と異なり、電灯変圧器は高圧線の３相から１つの線間（１線間）電圧を取り出し、１線間から取り出した電力を低圧線に供給する。すなわち、電灯の低圧線には柱上変圧器である電灯変圧器から高圧線の１線間にて電力が供給される。
【００２０】
実際の配電線は、動力変圧器と電灯変圧器とが混在してなる配電線がほとんどである、以下の説明では、説明の便宜上、柱上変圧器として動力変圧器のみが接続された配電線の場合、柱上変圧器として電灯変圧器のみが接続された配電線の場合、動力変圧器と電灯変圧器とが混在してなる配電線の場合について順次説明する。
【００２１】
その際に、柱上変圧器として動力変圧器のみが接続された配電線の場合には、柱上変圧器を動力変圧器、動力の低圧線の計器を動力計器ということにする。同様に、柱上変圧器として電灯変圧器のみが接続された配電線の場合には、柱上変圧器を電灯変圧器、電灯の低圧線の計器を電灯計器ということにする。
【００２２】
図２は、高圧線断線箇所探索部１７が高圧線１３の断線箇所探索の際にデータ（電圧）を取り込む計器Ｓの一例の説明図であり、図２（ａ）は高圧線の分岐が多岐である場合の配電系統図、図２（ｂ）は高圧線を単純化した場合の配電系統図である。
【００２３】
図２では、柱上変圧器１５が動力変圧器である場合の一例を示している。前述したように、高圧線断線箇所探索部１７は、基本的には、低圧線１６末端の計器Ｓの電圧を取得し電圧の正常異常を判定する。図２（ａ）、図２（ｂ）中の点線で囲った計器Ｓが高圧線断線箇所探索部１７による断線箇所の探索で電圧の正常異常の判定の対象候補となる計器である。そして、低圧線１６末端の計器Ｓの電圧を取得し電圧の正常異常を判定するにあたり、低圧線１６末端の計器Ｓは低圧線の数だけあるので、断線探索を効率よく行うために、まず、高圧線幹線の負荷側末端の低圧線１６末端の計器Ｓの電圧を取得し電圧の正常異常を判定し、順次高圧線分岐線の負荷側の低圧線１６末端の計器Ｓの電圧を取得し電圧の正常異常を判定する。電圧の異常があった場合は、その計器に接続される低圧線の柱上変圧器を電圧異常変圧器とし、その電圧異常変圧器より電源側の高圧線に接続される低圧線末端の計器Ｓの電圧を取得し電圧の正常異常を判定する。
【００２４】
例えば、図２（ａ）の配電系統では、高圧線幹線の負荷側末端の低圧線１６は、低圧線１６ｆである。高圧線分岐線の負荷側末端の低圧線１６は、１６ｇ、１６ｅである。
【００２５】
まず、高圧線幹線の負荷側末端の低圧線１６ｆ末端の計器Ｓｆ４の電圧を取得する。そして、低圧線１６ｆ末端の計器Ｓｆ４の電圧が正常であれば、低圧線１６ｆの柱上変圧器１５ｆは電圧正常動力変圧器とし、異常であれば低圧線１６ｆの柱上変圧器１５ｆは電圧異常動力変圧器とする。以下同様に、高圧線分岐線の負荷側末端の低圧線１６ｇ、１６ｅ末端の計器Ｓｇ３、Ｓｅ４の電圧を取得し電圧の正常異常を判定する。
【００２６】
いま、低圧線１６ｆ末端の計器Ｓｆ４の電圧が異常であり、高圧線分岐線の負荷側末端の低圧線１６ｅ末端の計器Ｓｅ４の電圧が異常であるとすると、低圧線１６ｅより電源側の高圧線１３の断線と考えられる。
【００２７】
そこで、最も電源側の低圧線１６ａと低圧線１６ｅとが繋がる高圧線１３で、最も電源側の低圧線１６ａと低圧線１６ｅとの中間の低圧線１６末端の計器Ｓの電圧を取得し電圧の正常異常を判定して断線箇所を狭めていく。これは、断線探索を効率よく行うためである。最も電源側の低圧線１６ａと低圧線１６ｅとの中間の低圧線１６は低圧線１６ｂ、１６ｃであり、それらの末端の計器Ｓは、計器Ｓｂ４、Ｓｃ３である。
【００２８】
いま、最も電源側の低圧線１６ａと低圧線１６ｅとの中間の低圧線１６として低圧線１６ｃを選択し低圧線１６ｃ末端の計器Ｓｃ４の電圧を取得したとする。計器Ｓｃ４の電圧が正常であれば、低圧線１６ｃの柱上変圧器１５ｃを電圧正常動力変圧器とする。そして、最も負荷側の電圧正常動力変圧器と最も電源側の電圧異常動力変圧器とが隣接するか否かを判定する。
【００２９】
この場合、最も負荷側の電圧正常動力変圧器は低圧線１６ｃの柱上変圧器１５ｃであり、最も電源側の電圧異常動力変圧器は柱上変圧器１５ｅである。柱上変圧器１５ｃと柱上変圧器１５ｅとは、高圧線１３上で隣接していない。
【００３０】
低圧線１６ｃの柱上変圧器１５ｃは正常であることから、断線箇所は低圧線１６ｃの柱上変圧器１５ｃより負荷側であると考えられるので、前回確認した低圧線１６ｃと低圧線１６ｅとの中間の低圧線１６ｄ末端の計器Ｓｄ４の電圧を取得し、その電圧が正常であれば、低圧線１６ｄの柱上変圧器１５ｄを電圧正常動力変圧器とし、柱上変圧器１５ｄを最も負荷側の電圧正常動力変圧器とする。柱上変圧器１５ｄと柱上変圧器１５ｅとは隣接しているので、低圧線１６ｄと低圧線１６ｅとの間の高圧線１３に断線の可能性があると判定する。
【００３１】
図２（ａ）の配電系統では、高圧線の分岐が多岐であり複数の高圧線分岐線の負荷側末端の低圧線１６がある場合について説明したが、以下の説明では、説明を簡単にするため、図２（ｂ）に示すように、１つの負荷側末端の低圧線１６を有した単純化した配電系統を例に取り説明する。図２（ｂ）において、まず、負荷側末端の低圧線１６ｆ末端の計器Ｓｆ４の電圧を取得し電圧の正常異常を判定する。低圧線１６ｆ末端の計器Ｓｆ４の電圧が異常であるとすると、負荷側末端の低圧線１６ｆより電源側の高圧線１３の断線と考えられる。そこで、最も電源側の低圧線１６ａと最も負荷側の低圧線１６ｆとが直線的に繋がる高圧線１３で、最も電源側の低圧線１６ａと最も負荷側の低圧線１６ｆとの中間の低圧線１６末端の計器Ｓの電圧を取得し電圧の正常異常を判定して断線箇所を狭めていく。そして、最終的には、最も負荷側の電圧正常動力変圧器と最も電源側の電圧異常動力変圧器とが隣接するか否かを判定し、隣接するときは、その電圧正常動力変圧器と電圧異常動力変圧器との間の高圧線に断線の可能性があると判定する。
【００３２】
図３は、高圧線１３に断線が発生した場合の柱上変圧器、低圧線及び計器の様相の説明図であり、図３（ａ）は高圧線１３の低圧線１６ｂの分岐点と低圧線１６ｃの分岐点との間の箇所Ｆａで断線が発生した場合の柱上変圧器、低圧線及び計器の様相の説明図、図３（ｂ）は高圧線１３の低圧線１６ｃの分岐点と低圧線１６ｄの分岐点との間の箇所Ｆｂで断線が発生した場合の柱上変圧器、低圧線及び計器の様相の説明図、図３（ｃ）は高圧線１３の低圧線１６ｅの分岐点と低圧線１６ｆの分岐点との間の箇所Ｆｃで断線が発生した場合の柱上変圧器、低圧線及び計器の様相の説明図である。図３（ａ）、図３（ｂ）、図３（ｃ）中の点線で囲った計器Ｓが高圧線断線箇所探索部１７による断線箇所の探索で電圧の正常異常の判定の対象となる低圧線末端の計器である。
【００３３】
図３（ａ）に示すように、高圧線１３における低圧線１６ｂの分岐点と低圧線１６ｃの分岐点との間の箇所Ｆａで断線が発生したとすると、断線箇所Ｆａより負荷側の高圧線１３に接続される低圧線１６ｃ〜１６ｆの柱上変圧器１５ｃ〜１５ｆは電圧異常動力変圧器となる。この場合の高圧線断線箇所探索部１７による断線箇所の探索は、以下のように行われる。
【００３４】
まず、高圧線断線箇所探索部１７は負荷側末端の低圧線１６ｆ末端の計器Ｓｆ４の電圧の正常異常を判定し、低圧線１６ｆ末端の計器Ｓｆ４の電圧が異常であることから、低圧線１６ｆの柱上変圧器１５ｆを電圧異常動力変圧器とする。この段階では、柱上変圧器１５ｆが最も電源側の電圧異常動力変圧器である。負荷側末端の低圧線１６ｆの柱上変圧器１５ｆが電圧異常動力変圧器であることから、これより電源側の箇所で断線が発生していると考えられる。
【００３５】
そこで、最も電源側の低圧線１６ａと低圧線１６ｆとの中間の低圧線１６末端の計器Ｓの電圧を取得し電圧の正常異常を判定して断線箇所を狭めていく。いま、最も電源側の低圧線１６ａと低圧線１６ｆとの中間の低圧線１６として低圧線１６ｃを選択し低圧線１６ｃ末端の計器Ｓｃ３の電圧を取得し電圧の正常異常を判定したとする。そして、低圧線１６ｃ末端の計器Ｓｃ３の電圧は異常であることから、低圧線１６ｃの柱上変圧器１５ｃを電圧異常動力変圧器とするとともに、最も電源側の電圧異常動力変圧器を柱上変圧器１５ｃに更新する。低圧線１６ｃの柱上変圧器１５ｃが電圧異常動力変圧器であることから、これより電源側の箇所で断線が発生していると考えられる。
【００３６】
そこで、さらに、最も電源側の低圧線１６ａと低圧線１６ｃとの中間の低圧線１６ｂ末端の計器Ｓｂ４の電圧を取得し電圧の正常異常を判定する。計器Ｓｂ４の電圧は正常であることから、柱上変圧器１５ｂを電圧正常動力変圧器とするとともに最も負荷側の電圧正常動力変圧器とする。
【００３７】
そして、最も負荷側の電圧正常動力変圧器と最も電源側の電圧異常動力変圧器とが隣接するか否かを判定する。最も負荷側の電圧正常動力変圧器は柱上変圧器１５ｂであり、最も電源側の電圧異常動力変圧器は柱上変圧器１５ｃであり、柱上変圧器１５ｂと柱上変圧器１５ｃとは隣接しているので、その間の高圧線１３に断線の可能性があると判定する。
【００３８】
次に、図３（ｂ）に示すように、高圧線１３における低圧線１６ｃの分岐点と低圧線１６ｄの分岐点との間の箇所Ｆｂで断線が発生したとすると、断線箇所Ｆｂより負荷側の高圧線１３に接続される低圧線１６ｄ〜１６ｆの柱上変圧器１５ｄ〜１５ｆは電圧異常動力変圧器となる。この場合の高圧線断線箇所探索部１７による断線箇所の探索は、以下のように行われる。
【００３９】
まず、高圧線断線箇所探索部１７は負荷側末端の低圧線１６ｆ末端の計器Ｓｆ４の電圧の正常異常を判定し、低圧線１６ｆ末端の計器Ｓｆ４の電圧が異常であることから、低圧線１６ｆの柱上変圧器１５ｆを電圧異常動力変圧器とする。この段階では、柱上変圧器１５ｆが最も電源側の電圧異常動力変圧器である。負荷側末端の低圧線１６ｆの柱上変圧器１５ｆが電圧異常動力変圧器であることから、これより電源側の箇所で断線が発生していると考えられる。
【００４０】
そこで、最も電源側の低圧線１６ａと低圧線１６ｆとの中間の低圧線１６の末端の計器Ｓの電圧を取得し電圧の正常異常を判定して断線箇所を狭めていく。いま、最も電源側の低圧線１６ａと低圧線１６ｆとの中間の低圧線１６として低圧線１６ｃを選択し低圧線１６ｃ末端の計器Ｓｃ３の電圧を取得し電圧の正常異常を判定したとする。そして、低圧線１６ｃ末端の計器Ｓｃ３の電圧は正常であることから、低圧線１６ｃの柱上変圧器１５ｃを電圧正常動力変圧器とするとともに、最も負荷側の電圧正常動力変圧器を柱上変圧器１５ｃとする。低圧線１６ｃの柱上変圧器１５ｃが電圧正常動力変圧器であることから、これより負荷側の箇所で断線が発生していると考えられる。
【００４１】
次に、最も負荷側の電圧正常動力変圧器と最も電源側の電圧異常動力変圧器とが隣接するか否かを判定する。最も負荷側の電圧正常動力変圧器は柱上変圧器１５ｃであり、最も電源側の電圧異常動力変圧器は柱上変圧器１５ｆであることから、柱上変圧器１５ｃと柱上変圧器１５ｆとは隣接していない。
【００４２】
前回確認した低圧線１６ｃの柱上変圧器１５ｃは電圧正常動力変圧器であり、これより負荷側の箇所で断線が発生していると考えられることから、前回確認した低圧線１６ｃと負荷側末端の低圧線１６ｆとの中間の低圧線１６末端の計器Ｓの電圧を取得し電圧の正常異常を判定する。例えば、中間の低圧線１６ｄ末端の計器Ｓｄ４の電圧を取得し電圧の正常異常を判定する。低圧線１６ｄ末端の計器Ｓｄ４の電圧は異常であるので、低圧線１６ｄの柱上変圧器１５ｄを電圧異常動力変圧器とし、柱上変圧器１５ｄを最も電源側の電圧異常動力変圧器に更新する。
【００４３】
そして、最も負荷側の電圧正常動力変圧器と最も電源側の電圧異常動力変圧器とが隣接するか否かを判定する。最も負荷側の電圧正常動力変圧器は柱上変圧器１５ｃであり、最も電源側の電圧異常動力変圧器は柱上変圧器１５ｄであり、柱上変圧器１５ｃと柱上変圧器１５ｄとは隣接しているので、その間の高圧線１３に断線の可能性があると判定する。
【００４４】
次に、図３（ｃ）に示すように、高圧線１３における低圧線１６ｅの分岐点と低圧線１６ｆの分岐点との間の箇所Ｆｃで断線が発生したとすると、断線箇所Ｆｃより負荷側の高圧線１３に接続される低圧線１６ｆの柱上変圧器１５ｆが電圧異常動力変圧器となる。この場合の高圧線断線箇所探索部１７による断線箇所の探索は、以下のように行われる。
【００４５】
まず、高圧線断線箇所探索部１７は負荷側末端の低圧線１６ｆ末端の計器Ｓｆ４の電圧の正常異常を判定し、低圧線１６ｆ末端の計器Ｓｆ４の電圧が異常であることから、低圧線１６ｆの柱上変圧器１５ｆを電圧異常動力変圧器とする。この段階では、柱上変圧器１５ｆが最も電源側の電圧異常動力変圧器である。負荷側末端の低圧線１６ｆの柱上変圧器１５ｆが電圧異常動力変圧器であることから、これより電源側の箇所で断線が発生していると考えられる。
【００４６】
そこで、最も電源側の低圧線１６ａと低圧線１６ｆとの中間の低圧線１６の末端の計器Ｓの電圧を取得し電圧の正常異常を判定する。例えば、中間の低圧線１６ｃ末端の計器Ｓｃ３の電圧を取得し電圧の正常異常を判定する。低圧線１６ｃ末端の計器Ｓｃ３の電圧が正常であることから、低圧線１６ｃの柱上変圧器１５ｃを電圧正常動力変圧器とするとともに、最も負荷側の電圧正常動力変圧器を柱上変圧器１５ｃとする。低圧線１６ｃの柱上変圧器１５ｃが電圧正常動力変圧器であることから、これより負荷側の箇所で断線が発生していると考えられる。
【００４７】
次に、最も負荷側の電圧正常動力変圧器と最も電源側の電圧異常動力変圧器とが隣接するか否かを判定する。最も負荷側の電圧正常動力変圧器は柱上変圧器１５ｃであり、最も電源側の電圧異常動力変圧器は柱上変圧器１５ｆであることから、柱上変圧器１５ｃと柱上変圧器１５ｆとは隣接していない。
【００４８】
前回確認した低圧線１６ｃの柱上変圧器１５ｃは電圧正常動力変圧器であり、これより負荷側の箇所で断線が発生していると考えられることから、前回確認した低圧線１６ｃと負荷側末端の低圧線１６ｆとの中間の低圧線１６末端の計器Ｓの電圧を取得し電圧の正常異常を判定する。例えば、中間の低圧線１６ｄ末端の計器Ｓｄ４の電圧を取得し電圧の正常異常を判定する。低圧線１６ｄ末端の計器Ｓｄ４の電圧は正常であるので、低圧線１６ｄの柱上変圧器１５ｄを電圧正常動力変圧器とし、柱上変圧器１５ｄを最も負荷側の電圧正常動力変圧器に更新する。
【００４９】
そして、最も負荷側の電圧正常動力変圧器と最も電源側の電圧異常動力変圧器とが隣接するか否かを判定する。最も負荷側の電圧正常動力変圧器は柱上変圧器１５ｄであり、最も電源側の電圧異常動力変圧器は柱上変圧器１５ｆであることから、柱上変圧器１５ｄと柱上変圧器１５ｆとは隣接していない。
【００５０】
柱上変圧器１５ｄと柱上変圧器１５ｆとは隣接していないので、さらに、前回確認した低圧線１６ｄの柱上変圧器１５ｄの電圧異常動力変圧器より負荷側の箇所で断線が発生していると考えられることから、前回確認した低圧線１６ｄと負荷側末端の低圧線１６ｆとの中間の低圧線１６ｅ末端の計器Ｓｅ４の電圧を取得し電圧の正常異常を判定する。低圧線１６ｅ末端の計器Ｓｅ４の電圧は正常であるので、低圧線１６ｅの柱上変圧器１５ｅを電圧正常動力変圧器とし、柱上変圧器１５ｅを最も負荷側の電圧正常動力変圧器に更新する。
【００５１】
そして、最も負荷側の電圧正常動力変圧器と最も電源側の電圧異常動力変圧器とが隣接するか否かを判定する。最も負荷側の電圧正常動力変圧器は柱上変圧器１５ｅであり、最も電源側の電圧異常動力変圧器は柱上変圧器１５ｆであり、柱上変圧器１５ｅと柱上変圧器１５ｆとは隣接しているので、その間の高圧線１３に断線の可能性があると判定する。このように、高圧線断線箇所探索部１７は、隣接する最も負荷側の電圧正常動力変圧器と最も電源側の電圧異常動力変圧器との間の高圧線に断線の可能性があると判定する。
【００５２】
ところで、高圧線断線箇所探索部１７で判定した電圧異常動力変圧器が１つのみの場合には、高圧線１３に断線があると判定できない。高圧線１３に断線がなく低圧線側に断線がある場合には、高圧線断線箇所探索部１７により１つの電圧異常動力変圧器が有りと判定される。
【００５３】
図４は、高圧線１３に断線がなく高圧線断線箇所探索部１７により１つの電圧異常動力変圧器が有りと判定された場合の柱上変圧器、低圧線及び計器の様相の説明図であり、図４（ａ）は負荷側末端の低圧線１６ｆの計器Ｓｆ１と計器Ｓｆ２との間の箇所Ｆｄで断線が発生した場合の柱上変圧器、低圧線及び計器の様相の説明図、図４（ｂ）は負荷側末端の低圧線１６ｆの計器Ｓｆ４の引込線の箇所Ｆｅで断線が発生した場合の柱上変圧器、低圧線及び計器の様相の説明図である。
【００５４】
図４（ａ）に示すように、負荷側末端の低圧線１６ｆの計器Ｓｆ１と計器Ｓｆ２との間の箇所Ｆｄで断線が発生したとすると、高圧線断線箇所探索部１７は負荷側末端の低圧線１６ｆ末端の計器Ｓｆ４の電圧を取得し電圧の正常異常を判定することから、高圧線１３に断線がなくても、計器Ｓｆ４が接続される低圧線１６ｆの柱上変圧器１５ｆを電圧異常動力変圧器と判定する。また、図４（ｂ）に示すように、負荷側末端の低圧線１６ｆ末端の計器Ｓｆ４の引込線の箇所Ｆｅで断線が発生したとすると、その場合も同様に、高圧線断線箇所探索部１７は負荷側末端の低圧線１６ｆ末端の計器Ｓｆ４の電圧を取得し電圧の正常異常を判定することから、高圧線１３に断線がなくても、計器Ｓｆ４が接続される低圧線１６ｆの柱上変圧器１５ｆを電圧異常動力変圧器と判定する。
【００５５】
そこで、高圧線断線箇所探索部１７で１つの電圧異常動力変圧器が有ると判定されたときは低圧線断線箇所探索部２０にて、高圧線１３の断線か柱上変圧器１５または低圧線１６の断線かを判断するようにする。また、高圧線断線箇所探索部１７で電圧異常動力変圧器がないと判定されたときは引込線の断線または柱上ヒューズ切れが発生していると考えられるので、低圧線断線箇所探索部２０は、高圧線断線箇所探索部１７で電圧異常動力変圧器が１以下であると判定されたときに起動される。
【００５６】
図５は、低圧線断線箇所探索部２０が主に低圧線側の断線箇所探索の際にデータ（電圧）を取り込む計器Ｓの説明図であり、図５（ａ）は高圧線１３の箇所Ｆｃで断線が発生した場合の断線箇所の判定の説明図、図５（ｂ）は高圧線における負荷側末端の低圧線１６ｆの計器Ｓｆ１と計器Ｓｆ２との間の箇所Ｆｄで断線が発生した場合の断線箇所の判定の説明図、図５（ｃ）は高圧線における負荷側末端の低圧線１６ｆの計器Ｓｆ４の引込線の箇所Ｆｅで断線が発生した場合の断線箇所の判定の説明図である。図５（ａ）、図５（ｂ）、図５（ｃ）中の点線で囲った計器Ｓが低圧線断線箇所探索部２０による断線箇所の探索で電圧の正常異常の判定の対象となる計器である。
【００５７】
低圧線断線箇所探索部２０は、高圧線断線箇所探索部１７と同様に、基本的には、低圧線１６の最も電源側の計器Ｓと負荷側の計器Ｓとの中間の計器Ｓの電圧を取得し電圧の正常異常を判定して断線箇所を狭めていく。その際に、計器Ｓの電圧が正常であるときはその計器Ｓを電圧正常計器とし、一方、計器Ｓの電圧が異常であるときはその計器Ｓを電圧異常計器とする。そして、隣接する最も負荷側の電圧正常計器と最も電源側の電圧異常計器との間の低圧線に断線の可能性があると判定する。
【００５８】
また、低圧線断線箇所探索部２０は、低圧線１６のすべての計器Ｓが電圧異常計器であるときは最も負荷側の電圧正常動力変圧器と最も電源側の電圧異常動力変圧器との間の高圧線１３の断線もしくは、柱上変圧器１５、または柱上変圧器１５と最も電源側の電圧異常計器の間の低圧線１６の断線と判定する。さらに、電圧異常計器が１つのみであるときは隣接する最も負荷側の電圧正常計器と最も電源側の電圧異常計器との間の低圧線の断線か、引込線の断線または柱上ヒューズ切れと判定する。
【００５９】
図５（ａ）において、高圧線１３の箇所Ｆｃで断線が発生した場合には高圧線断線箇所探索部１７で１つの電圧異常動力変圧器が有ると判定され、既に高圧線断線箇所探索部１７により、その低圧線１６ｆ末端の計器Ｓｆ４の電圧は異常であると判定されている。従って、低圧線断線箇所探索部２０は、最も電源側の計器Ｓｆ１と計器Ｓｆ４との中間の計器Ｓｆ２の電圧を取得し電圧の正常異常を判定する。高圧線１３の箇所Ｆｃに断線が発生していることから、計器Ｓｆ２の電圧は異常であるので、計器Ｓｆ２を電圧異常計器とする。
【００６０】
計器Ｓｆ２が電圧異常計器であることから、計器Ｓｆ２より電源側に断線があると考えられるので、前回確認した計器Ｓｆ２より電源側の最も電源側の計器Ｓｆ１の電圧を取得し電圧の正常異常を判定する。高圧線１３の箇所Ｆｃに断線が発生していることから、計器Ｓｆ１の電圧は異常であるので、計器Ｓｆ１を電圧異常計器とする。計器Ｓｆ３の電圧の確認は行っていないが、計器Ｓｆ３は電圧異常計器Ｓｆ２の負荷側であることから計器Ｓｆ３は電圧異常計器であると判定できる。この結果、低圧線１６ｆのすべての計器Ｓｆ１〜Ｓｆ４が電圧異常計器であるので、低圧線断線箇所探索部２０は計器Ｓｆ１より電源側の低圧線１６ｆか、柱上変圧器１５、または高圧線１３の断線と判定する。
【００６１】
図５（ｂ）において、高圧線における負荷側末端の低圧線１６ｆの計器Ｓｆ１と計器Ｓｆ２との間の箇所Ｆｄで断線が発生した場合には、高圧線断線箇所探索部１７で１つの電圧異常動力変圧器が有ると判定され、既に高圧線断線箇所探索部１７により、その低圧線１６ｆ末端の計器Ｓｆ４の電圧は異常であると判定されている。低圧線断線箇所探索部２０は、図５（ａ）の場合と同様に、最も電源側の計器Ｓｆ１と計器Ｓｆ４との中間の計器Ｓｆ２の電圧を取得し電圧の正常異常を判定する。計器Ｓｆ１と計器Ｓｆ２との間で断線が発生していることから、計器Ｓｆ２の電圧は異常であるので、計器Ｓｆ２を電圧異常計器とするとともに、計器Ｓｆ２を最も電源側の電圧異常計器に更新する。
【００６２】
計器Ｓｆ２が電圧異常計器であることから、計器Ｓｆ２より電源側に断線があると考えられるので、前回確認した計器Ｓｆ２より電源側の最も電源側の計器Ｓｆ１の電圧を取得し電圧の正常異常を判定する。計器Ｓｆ１と計器Ｓｆ２との間の箇所Ｆｄで断線が発生していることから、計器Ｓｆ１の電圧は正常であるので、計器Ｓｆ１を電圧正常計器とする。
【００６３】
そして、最も負荷側の電圧正常計器と最も電源側の電圧異常計器とが隣接するか否かを判定する。最も負荷側の電圧正常計器は計器Ｓｆ１であり、最も電源側の電圧異常計器は計器Ｓｆ２であり、計器Ｓｆ１と計器Ｓｆ２とは隣接しているので、その間の低圧線１６ｆに断線があると判定する。
【００６４】
図５（ｃ）において、高圧線における負荷側末端の低圧線１６ｆの計器Ｓｆ４の引込線で断線が発生した場合には、高圧線断線箇所探索部１７で１つの電圧異常動力変圧器が有ると判定され、既に高圧線断線箇所探索部１７により、その低圧線１６ｆの末端の計器Ｓｆ４の電圧は異常であると判定されている。低圧線断線箇所探索部２０は、図５（ａ）の場合と同様に、最も電源側の計器Ｓｆ１と計器Ｓｆ４との中間の計器Ｓｆ２の電圧を取得し電圧の正常異常を判定する。計器Ｓｆ４の引込線で断線が発生していることから、計器Ｓｆ２の電圧は正常であるので、計器Ｓｆ２を電圧正常計器とする。
【００６５】
そして、最も負荷側の電圧正常計器と最も電源側の電圧異常計器とが隣接するか否かを判定する。最も負荷側の電圧正常計器は計器Ｓｆ２であり、最も電源側の電圧異常計器は計器Ｓｆ４であり、計器Ｓｆ２と計器Ｓｆ４とは隣接していない。そこで、さらに、前回確認した計器Ｓｆ２の電圧正常計器より負荷側の箇所で断線が発生していると考えられることから、前回確認した計器Ｓｆ２と最も負荷側の電圧正常計器である計器Ｓｆ４との中間の計器Ｓｆ３の電圧を取得し電圧の正常異常を判定する。計器Ｓｆ４の引込線の箇所Ｆｅで断線が発生していることから、計器Ｓｆ３の電圧は正常であるので、計器Ｓｆ３を電圧正常計器とするとともに、計器Ｓｆ３を最も負荷側の電圧正常計器に更新する。
【００６６】
そして、最も負荷側の電圧正常計器と最も電源側の電圧異常計器とが隣接するか否かを判定する。最も負荷側の電圧正常計器は計器Ｓｆ３であり、最も電源側の電圧異常計器は計器Ｓｆ４であり、計器Ｓｆ３と計器Ｓｆ４とは隣接しているので、その間の低圧線１６ｆに断線があると判定する。この場合、その間の低圧線１６ｆは計器Ｓｆ４に接続される引込線も含まれる。つまり、電圧異常計器は計器Ｓｆ４のみであり電圧異常計器が単数であるので、計器Ｓｆ３と計器Ｓｆ４の間の低圧線１６ｆか、計器Ｓｆ４の引込線の断線または柱上ヒューズ切れと判定する。
【００６７】
次に、高圧線断線箇所探索部１７で電圧異常動力変圧器がないと判定されたときの低圧線断線箇所探索部２０の断線探索を説明する。図６は高圧線断線箇所探索部１７で電圧異常動力変圧器がないと判定されたときの低圧線断線箇所探索部２０の断線探索の説明図であり、図６（ａ）は低圧線１６ｅの計器Ｓｅ１と計器Ｓｅ２との間の箇所Ｆｆで断線があった場合の断線箇所の判定の説明図、図６（ｂ）は低圧線１６ｅの計器Ｓｅ２の引込線の箇所Ｆｇで断線があった場合の断線箇所の判定の説明図である。
【００６８】
高圧線断線箇所探索部１７で電圧異常動力変圧器がないと判定されたときは、高圧線１３には断線がない。そのため、高圧線断線箇所探索部１７で判定していない柱上変圧器１５、低圧線１６の断線、引込線の断線または柱上ヒューズ切れと考えられる。低圧線断線箇所探索部２０は、基本的には、低圧線１６の最も電源側の計器Ｓと負荷側の計器Ｓとの中間の計器Ｓの電圧を取得し電圧の正常異常を判定して断線箇所を狭めていく。そして、隣接する最も負荷側の電圧正常計器と最も電源側の電圧異常計器との間の低圧線に断線の可能性があると判定する。しかし、高圧線断線箇所探索部１７で電圧異常動力変圧器がないと判定されたときは電圧異常計器がないため、高圧線断線箇所探索部１７で判定していないすべての低圧線１６末端の計器Ｓの電圧を確認する。そこで、低圧線１６末端に電圧異常の計器Ｓが有るときは、柱上変圧器１５、低圧線１６の断線と考えられるため、低圧線１６の最も電源側の計器Ｓと負荷側の計器Ｓとの中間の計器Ｓの電圧を取得し電圧の正常異常を判定して断線箇所を狭めていく。また、低圧線１６末端に電圧異常の計器Ｓがないときは、引込線の断線または柱上ヒューズ切れと考えられるため、未確認の低圧線１６の計器Ｓの電圧を確認する。なお、高圧線における負荷側末端の低圧線１６末端から順番に未確認の計器Ｓの電圧を確認していく。図６（ａ）、図６（ｂ）中の点線で囲った計器Ｓが低圧線断線箇所探索部２０による断線箇所の探索で電圧の正常異常の判定の対象となる計器である。
【００６９】
図６（ａ）において、高圧線における負荷側末端の低圧線１６ｆ末端の計器Ｓｆ４は高圧線断線箇所探索部１７により既に正常であると判定されているので、低圧線断線箇所探索部２０は、すべての低圧線１６末端の計器Ｓの電圧を確認する。図６（ａ）では低圧線１６ｅの計器Ｓｅ１と計器Ｓｅ２との間の箇所Ｆｆで断線しているので計器Ｓｅ４の電圧は異常となる。計器Ｓｅ４が電圧異常計器であることから、計器Ｓｅ４より電源側の柱上変圧器、低圧線の断線と考えられるので、前回確認した計器Ｓｅ４より電源側の最も電源側の計器Ｓｅ１と計器Ｓｅ４との中間の計器Ｓｅ２の電圧を取得し電圧の正常異常を判定する。計器Ｓｅ１と計器Ｓｅ２との間で断線が発生していることから、計器Ｓｅ２の電圧は異常であるので、計器Ｓｅ２を電圧異常計器とするとともに、計器Ｓｅ２を最も電源側の電圧異常計器に更新する。
【００７０】
計器Ｓｅ２が電圧異常計器であることから、計器Ｓｅ２より電源側に断線があると考えられるので、前回確認した計器Ｓｅ２より電源側の最も電源側の計器Ｓｅ１の電圧を取得し電圧の正常異常を判定する。計器Ｓｅ１と計器Ｓｅ２との間の箇所Ｆｆで断線が発生していることから、計器Ｓｅ１の電圧は正常であるので、計器Ｓｅ１を電圧正常計器とする。
【００７１】
そして、最も負荷側の電圧正常計器と最も電源側の電圧異常計器とが隣接するか否かを判定する。最も負荷側の電圧正常計器は計器Ｓｅ１であり、最も電源側の電圧異常計器は計器Ｓｅ２であり、計器Ｓｅ１と計器Ｓｅ２とは隣接しているので、その間の低圧線１６ｅに断線があると判定する。
【００７２】
図６（ｂ）において、高圧線における負荷側末端の低圧線１６ｆ末端の計器Ｓｆ４は高圧線断線箇所探索部１７により既に正常であると判定されているので、低圧線断線箇所探索部２０は、すべての低圧線末端の計器Ｓの電圧を確認する。図６（ｂ）では計器Ｓｅ２の引込線で断線しているので、すべての低圧線１６末端の計器Ｓの電圧は正常である。すべての低圧線１６末端の計器Ｓの電圧は正常であることから、引込線の断線または柱上ヒューズ切れと考えられるため、未確認の低圧線１６の計器Ｓの電圧を確認する。ここでは、計器Ｓｆ４より１つ電源側の計器Ｓｆ３の電圧を取得し電圧の正常異常を判定する。計器Ｓｆ３の引込線で断線していないので計器Ｓｆ３の電圧は正常である。以下、同様に低圧線１６ｆ末端の計器Ｓｆ３より電源側の計器Ｓｆ２、計器Ｓｆ１の電圧を取得し電圧の正常異常を判定する。計器Ｓｆ２、Ｓｆ１の引込線で断線していないので計器Ｓｆ２、Ｓｆ１の電圧は正常である。低圧線１６ｆの計器Ｓｆ１〜Ｓｆ４がすべて正常であるので、高圧線における次の電源側の低圧線１６ｅの計器Ｓの電圧を取得し電圧の正常異常を判定する。低圧線１６ｅ末端の計器Ｓｅ４は既に正常であると判定されているので、計器Ｓｅ４より１つ電源側の計器Ｓｅ３の電圧を取得し電圧の正常異常を判定する。計器Ｓｅ３の引込線で断線していないので計器Ｓｅ３の電圧は正常である。以下、同様に低圧線１６ｅの計器Ｓｅ３より電源側の計器Ｓｅ２の電圧を取得し電圧の正常異常を判定する。ここで、計器Ｓｅ２は引込線の箇所Ｆｇで断線しているので、計器Ｓｅ２の電圧は異常となる。従って、低圧線断線箇所探索部２０は計器Ｓｅ２の引込線または柱上ヒューズの断線であると判定する。
【００７３】
このように、低圧線断線箇所探索部２０は、高圧線断線箇所探索部１７で電圧異常動力変圧器がないと判定されたときは、すべての低圧線末端の計器Ｓの電圧を確認し、電圧異常となる計器Ｓを探索する。そして、電圧異常となる計器Ｓが複数の場合には、柱上変圧器１５、または低圧線１６の断線であると判定して断線箇所を狭めていき、電圧異常となる計器Ｓが１つのみの場合には、その計器Ｓの引込線または柱上ヒューズの断線であると判定する。また、電圧異常となる計器がない場合には、断線なしと判定する。
【００７４】
図７は、本発明の実施形態に係る配電系統断線検出システムを柱上変圧器が動力変圧器のみからなる配電線に適用した場合の高圧線断線箇所探索部の断線探索の処理内容の一例を示すフローチャートである。
【００７５】
図７において、高圧線断線箇所探索部は起動がかけられると、まず、最も電源側の電圧異常動力変圧器及び最も負荷側の電圧正常動力変圧器の位置情報を初期化する（Ｓ１）。これは、高圧線断線箇所探索部は、隣接する最も電源側の電圧異常動力変圧器と最も負荷側の電圧正常動力変圧器との間に断線の可能性があると判定するので、断線箇所の探索に先立ち、これらのデータを初期化するためである。
【００７６】
次に、高圧線断線箇所探索部は、図３に基づき説明した手順で高圧線の断線探索を行う。高圧線幹線、分岐線の負荷側末端の低圧線末端の動力計器の電圧を確認する（Ｓ２）。前述したように、断線探索を効率よく行うために、負荷側末端の低圧線末端の動力計器の電圧を取得し電圧の正常異常を判定し、順次低圧線末端の動力計器の電圧を取得し電圧の正常異常を判定することになる。
【００７７】
すなわち、高圧線幹線、分岐線の負荷側末端の低圧線末端の動力計器の電圧は正常か否かを判定し（Ｓ３）、高圧線幹線、分岐線の負荷側末端の低圧線末端の動力計器の電圧が正常である場合には、高圧線幹線、分岐線の負荷側末端に未確認の低圧線末端の動力計器はあるか否かを判定し（Ｓ４）、負荷側末端に未確認の低圧線末端の動力計器がある場合にはステップＳ２に戻る。ステップＳ４の判定で、高圧線幹線、分岐線の負荷側末端に未確認の低圧線末端の動力計器がない場合には、すべての高圧線幹線、分岐線の負荷側末端の低圧線末端の動力計器の電圧は正常であるので、主に低圧線側での断線箇所の探索を行う低圧線断線箇所探索部での低圧線探索の処理に移行する（Ｓ５）。
【００７８】
ステップＳ３の判定で、負荷側末端の低圧線末端の動力計器の電圧が異常である場合には、最も電源側の電圧異常動力変圧器または最も負荷側の電圧正常動力変圧器の位置情報を更新する（Ｓ６）。ステップＳ６では、最初に低圧線末端の動力計器の電圧が異常であると判定された段階では、電圧正常動力変圧器の情報はないので、最も負荷側の電圧正常動力変圧器の位置情報の更新は行われない。一方、最初に低圧線末端の動力計器の電圧が異常であると判定された段階では、低圧線末端の動力計器が接続された負荷側末端の低圧線の動力変圧器が電圧異常動力変圧器であるので、低圧線末端の動力計器が接続された負荷側末端の低圧線の動力変圧器を最も電源側の電圧異常動力変圧器として位置情報を更新する。
【００７９】
そして、最も電源側の電圧異常動力変圧器及び最も負荷側の電圧正常動力変圧器は隣接位置であるか否かを判定する（Ｓ７）。最初に低圧線末端の動力計器の電圧が異常であると判定された段階では、電圧正常動力変圧器の情報はないので、ステップＳ８に進む。
【００８０】
ステップＳ８では、前回確認位置の低圧線末端の動力計器の電圧は正常か否かを判定する（Ｓ８）。最初に低圧線末端の動力計器の電圧が異常であると判定された段階では、前回確認位置の低圧線末端の動力計器の電圧は異常であるので、ステップＳ９に進む。ステップＳ９では、最も電源側位置と前回確認位置との中間の低圧線末端の動力計器の電圧を確認する（Ｓ９）。そして、ステップＳ６に戻り、ステップＳ６以下の処理を行う。
【００８１】
ステップＳ９の電圧の確認処理で、最も電源側位置と前回確認位置との中間の低圧線末端の動力計器の電圧が正常であるときは、その動力計器が接続された低圧線の動力変圧器を最も負荷側の電圧正常動力変圧器として位置情報を更新する（Ｓ６）。そして、最も電源側の電圧異常動力変圧器及び最も負荷側の電圧正常動力変圧器は隣接位置であるか否かを判定し（Ｓ７）、隣接位置でないときは前回確認位置の低圧線末端の動力計器の電圧は正常か否かを判定する（Ｓ８）。前回確認位置の低圧線末端の動力計器の電圧は正常であるので、ステップＳ１０に進み、負荷側末端位置と前回確認位置との中間の低圧線末端の動力計器の電圧を確認する（Ｓ１０）。そして、ステップＳ６に戻り、ステップＳ６以下の処理を行う。
【００８２】
ステップＳ７の判定で、最も電源側の電圧異常動力変圧器及び最も負荷側の電圧正常動力変圧器が隣接位置であると判定されたときは、電圧異常動力変圧器は複数であるか否かを判定し（Ｓ１１）、電圧異常動力変圧器が複数であるときは、隣接する最も電源側の電圧異常動力変圧器及び最も負荷側の電圧正常動力変圧器との間での高圧線の断線であると判定する（Ｓ１２）。一方、ステップＳ１１の判定で電圧異常動力変圧器が複数でないと判定されたときは、主に低圧線側での断線箇所の探索を行う低圧線断線箇所探索部での低圧線探索の処理に移行する（Ｓ５）。
【００８３】
ステップＳ１１の判定で、電圧異常動力変圧器が複数でないときは、低圧線探索の処理に移行するのは、前述したように、電圧異常動力変圧器が１つのみの場合には、柱上変圧器、または低圧線の断線かの可能性があり、高圧線に断線があると判定できない場合があるからである。
【００８４】
図８は、本発明の実施形態に係る配電系統断線検出システムを柱上変圧器が動力変圧器のみからなる配電線に適用した場合の低圧線断線箇所探索部の断線探索の処理内容の一例を示すフローチャートである。低圧線断線箇所探索部では、まず、高圧線断線箇所探索部で確認済みの低圧線末端の動力計器の電圧を取り込む（Ｔ１）。そして、低圧線断線箇所探索部は、図５及び図６に基づき説明した手順で低圧線の断線探索を行う。
【００８５】
まず、高圧線幹線、分岐線の負荷側末端の低圧線末端の動力計器の電圧はすべて正常か否かを判定する（Ｔ２）。高圧線幹線、分岐線の負荷側末端の低圧線末端の動力計器の電圧がすべて正常であるときは、未確認の低圧線末端の動力計器を確認し（Ｔ３）、すべての低圧線末端の動力計器の電圧が正常か否かを判定し（Ｔ４）、すべての低圧線末端の動力計器の電圧が正常であるときは、未確認の低圧線の動力計器を確認する（Ｔ５）。低圧線のすべての動力計器の電圧が正常か否かを判定し（Ｔ６）、低圧線のすべての動力計器の電圧が正常な場合は、断線なしと判定する（Ｔ７）。低圧線の動力計器の電圧が異常な場合は、その電圧異常動力計器が接続された引込線の断線または柱上ヒューズ切れと判定する（Ｔ８）。これは、図６（ｂ）の場合であり、すべての低圧線１６末端の計器Ｓの電圧は正常であることから、引込線の断線または柱上ヒューズ切れと考えられるため、未確認の低圧線１６の計器Ｓの電圧を確認する場合に相当する。
【００８６】
ステップＴ２及びステップＴ４の判定で低圧線末端の動力計器の電圧が異常である場合は、最も電源側の電圧異常動力計器または最も負荷側の電圧正常動力計器の位置情報を更新する（Ｔ９）。ステップＴ９では、最初に動力計器の電圧が異常であると判定された段階では、電圧正常動力計器の情報はないので、最も負荷側の電圧正常動力計器の位置情報の更新は行われない。一方、最初に動力計器の電圧が異常であると判定された段階では、その動力計器が最も電源側の電圧異常動力計器として位置情報を更新する（Ｔ９）。
【００８７】
そして、最も電源側の電圧異常計器及び最も負荷側の電圧正常動力計器は隣接位置であるか否かを判定する（Ｔ１０）。隣接位置ではない場合は、ステップＴ１１に進む。
【００８８】
ステップＴ１１では、前回確認位置の動力計器は電圧正常か否かを判定する。最初に動力計器の電圧が異常であると判定された段階では、電圧正常動力計器の情報はないので、ステップＴ１２に進む。ステップＴ１２では、最も電源側位置と前回確認位置との中間の動力計器の電圧を確認する。そして、その低圧線のすべての動力計器の電圧は異常か否かを判定し（Ｔ１３）、低圧線のすべての動力計器の電圧が異常でないときはステップＴ９に戻り、ステップＴ９以下の処理を行う。
【００８９】
ここで、ステップＴ１２の電圧の確認処理で、最も電源側位置と前回確認位置との中間の動力計器の電圧が正常であると判定されたときは、低圧線のすべての動力計器の電圧は異常ではないので、ステップＴ１３の判定によりステップＴ９に戻るが、ステップＴ９では、その中間の動力計器を最も負荷側の電圧正常動力計器として位置情報を更新する（Ｔ９）。
【００９０】
そして、ステップＴ９により、最も負荷側の電圧正常動力計器の位置情報が更新されると、最も電源側の電圧異常動力計器及び最も負荷側の電圧正常動力計器は隣接位置であるか否かを判定し（Ｔ１０）、隣接位置でないときは前回確認位置の動力計器は電圧正常か否かを判定する（Ｔ１１）。
【００９１】
次に、ステップＴ１１の判定で、前回確認位置の動力計器の電圧は正常と判定されると、ステップＴ１４に進み、負荷側末端位置と前回確認位置との中間の動力計器の電圧を確認する（Ｔ１４）。そして、ステップＴ９に戻り、ステップＴ９以下の処理を行う。
【００９２】
そして、ステップＴ１０の判定で、最も電源側の電圧異常動力計器及び最も負荷側の電圧正常動力計器が隣接位置であると判定されたときは、電圧異常動力計器は複数であるか否かを判定し（Ｔ１５）、電圧異常動力計器が複数であるときは、低圧線の断線であると判定する（Ｔ１６）。すなわち、隣接する最も電源側の電圧異常動力計器及び最も負荷側の電圧正常動力計器との間の低圧線での断線であると判定する。これは、図５（ｂ）、図６（ａ）の場合である。一方、ステップＴ１５の判定で電圧異常動力計器が複数でないと判定されたときは、最も電源側の電圧異常動力計器及び最も負荷側の電圧正常動力計器との間の低圧線か、その電圧異常動力計器が接続された引込線の断線または柱上ヒューズ切れと判定する（Ｔ８）。これは、図５（ｃ）の場合である。
【００９３】
また、ステップＴ１３の判定で、低圧線のすべての動力計器の電圧が異常であるときは、最も電源側の動力計器より電源側の低圧線、柱上変圧器または高圧線の断線であると判定する（Ｔ１７）。これは図５（ａ）に示す場合であり、図５（ａ）では高圧線の断線である場合を示している。
【００９４】
次に、本発明の実施形態に係る配電系統断線検出システムを柱上変圧器が電灯変圧器のみからなる配電線に適用した場合について説明する。前述したように、柱上変圧器が電灯変圧器の場合には、動力変圧器の場合と異なり、電灯変圧器は高圧線の３相から低圧側に１線間を取り出し、低圧側の低圧線には１線間で電力が供給される。
【００９５】
図９は、本発明の実施形態に係る配電系統断線検出システムを柱上変圧器が電灯変圧器のみからなる配電線に適用した場合の高圧線断線箇所探索部の断線探索の概略説明図であり、図９（ａ）は高圧線１３の３相ＲＳＴのうちのＴ相の箇所Ｆ１で断線が発生した場合の説明図、図９（ｂ）は高圧線１３の３相ＲＳＴのうちのＲ相の箇所Ｆ２で断線が発生した場合の説明図、図９（ｃ）は高圧線１３の３相ＲＳＴのうちのＳ相の箇所Ｆ３で断線が発生した場合の説明図である。なお、図９では配電変圧器、遮断器、開閉器、高圧線分岐線、低圧線の図示を省略している。また、図９では、柱上変圧器１５ａ、１５ｄは高圧線１３の３相ＲＳＴから１線間ＲＳを取り出し、柱上変圧器１５ｂ、１５ｅは高圧線１３の３相ＲＳＴから１線間ＲＴを取り出し、柱上変圧器１５ｃ、１５ｆは高圧線１３の３相ＲＳＴから１線間ＳＴを取り出した場合を示している。
【００９６】
図９（ａ）に示すように、Ｔ相の箇所Ｆ１で断線が発生した場合には、断線箇所Ｆ１より負荷側の柱上変圧器１５ｅ、１５ｆは電圧異常電灯変圧器となる。これは、柱上変圧器１５ｅ、１５ｆは断線が発生したＴ相に接続されているからである。一方、断線箇所Ｆ１より電源側の柱上変圧器１５ａ〜１５ｄは電圧正常電灯変圧器となる。これは、柱上変圧器１５ａ〜１５ｄは断線が発生した箇所Ｆ１より電源側に位置するからである。図９（ａ）の場合、隣接する最も負荷側の電圧正常電灯変圧器１５ｄと最も電源側の電圧異常電灯変圧器１５ｅとが存在するので、その間に断線が発生している可能性があると判定できる。
【００９７】
図９（ｂ）に示すように、Ｒ相の箇所Ｆ２で断線が発生した場合には、断線箇所Ｆ２より負荷側の柱上変圧器１５ｄ、１５ｅは電圧異常電灯変圧器となるが、柱上変圧器１５ｆは電圧異常電灯変圧器とならない。これは、柱上変圧器１５ｄ、１５ｅは断線が発生したＲ相に接続されているが、柱上変圧器１５ｆは断線が発生したＲ相に接続されていないからである。このように、柱上変圧器１５が電灯変圧器である場合には、負荷側末端の低圧線の電灯計器が正常であり負荷側末端の柱上変圧器１５ｆが電圧正常電灯変圧器であっても、その電源側の柱上変圧器１５ｅ、１５ｄが電圧異常電灯変圧器となることがある。これは、電灯変圧器は高圧線の３相から低圧側に１線間を取り出し、低圧側の低圧線には１線間で電力が供給されることから、断線が発生した相に接続されていない電灯負荷の場合には、断線発生箇所より負荷側の柱上変圧器であっても電圧正常電灯変圧器となるからである。
【００９８】
図９（ｂ）の場合、隣接する最も負荷側の電圧正常電灯変圧器１５ｃと最も電源側の電圧異常電灯変圧器１５ｄとが存在するので、その間に断線が発生している可能性があると判定できる。なお、負荷側末端の柱上変圧器１５ｆが電圧正常電灯変圧器であってもその電源側に断線箇所が発生している可能性があるので、電灯変圧器が接続された配電線においては、負荷側末端の柱上変圧器１５ｆが電圧正常電灯変圧器であっても、その電源側に電圧異常電灯変圧器が存在するか否かを判定する探索ロジックとすることが必要となる。
【００９９】
次に、図９（ｃ）に示すように、Ｓ相の箇所Ｆ３で断線が発生した場合には、断線箇所Ｆ３より負荷側の柱上変圧器１５ｃ、１５ｄ、１５ｆは電圧異常電灯変圧器となるが、柱上変圧器、１５ｅは電圧異常電灯変圧器とならない。これは、柱上変圧器１５ｃ、１５ｄ、１５ｆは断線が発生したＳ相に接続されているが、柱上変圧器１５ｅは断線が発生したＳ相に接続されていないからである。
【０１００】
図９（ｃ）の場合、先に、隣接する最も負荷側の電圧正常電灯変圧器１５ｅと最も電源側の電圧異常電灯変圧器１５ｆが検出されたとしても、その電源側に、隣接する最も負荷側の電圧正常電灯変圧器１５ｂと最も電源側の電圧異常電灯変圧器１５ｃが存在するので、その電源側に電圧異常電灯変圧器が存在するか否かを判定する探索ロジックとすることが必要となる。
【０１０１】
そこで、柱上変圧器として電灯変圧器のみが接続された配電線である場合には、負荷側末端の柱上変圧器１５ｆが電圧正常電灯変圧器であっても、その電源側に電圧異常電灯変圧器が存在するか否かを判定するために、負荷側末端から順番に低圧線末端の電灯計器の電圧を確認していくようにする。また、隣接する最も負荷側の電圧正常電灯変圧器１５ｂと最も電源側の電圧異常電灯変圧器１５ｃが検出された場合であっても、その電源側に電圧異常電灯変圧器が存在するか否かを判定するために、電圧正常電灯変圧器より電源側の低圧線末端の電灯計器の電圧を確認するようにする。
【０１０２】
図１０は、本発明の実施形態に係る配電系統断線検出システムを柱上変圧器が電灯変圧器のみからなる配電線に適用した場合の高圧線断線箇所探索部の断線探索の処理内容の一例を示すフローチャートである。図７に示した柱上変圧器が動力変圧器のみからなる配電線の断線探索の処理内容のステップＳ１〜Ｓ１２に対し、対応するステップをステップＵ１〜Ｕ１２とし、動力変圧器を電灯変圧器、動力計器を電灯計器としている。高圧線幹線、分岐線の負荷側末端の低圧線末端の動力計器の電圧を確認していくステップＳ２〜Ｓ４に代えて、高圧線幹線、分岐線の低圧線末端の電灯計器の電圧を負荷側から順番に確認していくステップＵ２Ａ〜Ｕ４Ａとし、高圧線の断線であると判定するステップＳ１２に対応するステップＵ１２の後段に、電圧正常電灯変圧器より電源側の低圧線末端の電灯計器の電圧を確認するステップＵ１３Ａ〜Ｕ１５Ａを追加して設けている。
【０１０３】
図１０において、高圧線断線箇所探索部は起動がかけられると、まず、最も電源側の電圧異常電灯変圧器及び最も負荷側の電圧正常電灯変圧器の位置情報を初期化する（Ｕ１）。これは、高圧線断線箇所探索部は、隣接する最も電源側の電圧異常電灯変圧器と最も負荷側の電圧正常電灯変圧器との間に断線の可能性があると判定するので、断線箇所の探索に先立ち、これらのデータを初期化するためである。
【０１０４】
次に、高圧線断線箇所探索部は、高圧線幹線、分岐線の低圧線末端の電灯計器の電圧を負荷側から順番に確認する（Ｕ２Ａ）。これは、前述したように、柱上変圧器として電灯変圧器のみが接続された配電線である場合には、負荷側末端の柱上変圧器１５ｆが電圧正常電灯変圧器であっても、その電源側に電圧異常電灯変圧器が存在する場合があるので、それを探索するためである。
【０１０５】
すなわち、高圧線幹線、分岐線の低圧線末端の電灯計器の電圧は正常か否かを判定し（Ｕ３Ａ）、電灯計器の電圧が正常である場合には、高圧線幹線、分岐線に未確認の低圧線末端の電灯計器はあるか否かを判定し（Ｕ４Ａ）、未確認の電灯計器がある場合にはステップＵ２Ａに戻る。ステップＵ４Ａの判定で、未確認の電灯計器がない場合には、高圧線幹線、分岐線のすべての低圧線末端の電灯計器の電圧は正常であるので、低圧線での断線箇所の探索を行う低圧線断線箇所探索部での低圧線探索の処理に移行する（Ｕ５）。
【０１０６】
ステップＵ３Ａの判定で、高圧線幹線、分岐線の電灯計器の電圧が異常である場合には、最も電源側の電圧異常電灯変圧器または最も負荷側の電圧正常電灯変圧器の位置情報を更新する（Ｕ６）。ステップＵ６では、最初に電灯計器の電圧が異常であると判定された段階では、電圧正常電灯変圧器の情報はないので、最も負荷側の電圧正常電灯変圧器の位置情報の更新は行われない。そして、最も電源側の電圧異常電灯変圧器及び最も負荷側の電圧正常電灯変圧器は隣接位置であるか否かを判定する（Ｕ７）。最初に電灯計器の電圧が異常であると判定された段階では、電圧正常電灯変圧器の情報はないので、ステップＵ８に進む。
【０１０７】
ステップＵ８では、前回確認位置の低圧線末端の電灯計器は電圧正常か否かを判定する（Ｕ８）。最初に低圧線末端の電灯計器の電圧が異常であると判定された段階では、前回確認位置の低圧線末端の電灯計器は電圧異常であるので、ステップＵ９に進む。ステップＵ９では、最も電源側位置と前回確認位置との中間の低圧線末端の電灯計器の電圧を確認する（Ｕ９）。そして、ステップＵ６に戻り、ステップＵ６以下の処理を行う。
【０１０８】
ステップＵ９の電圧の確認処理で、最も電源側位置と前回確認位置との中間の低圧線末端の電灯計器の電圧が正常であるときは、その電灯変圧器を最も負荷側の電圧正常電灯変圧器として位置情報を更新する（Ｕ６）。そして、最も電源側の電圧異常電灯変圧器及び最も負荷側の電圧正常電灯変圧器は隣接位置であるか否かを判定し（Ｕ７）、隣接位置でないときは前回確認位置の低圧線末端の電灯計器は電圧正常か否かを判定する（Ｕ８）。前回確認位置の低圧線末端の電灯計器は電圧正常であるので、ステップＵ１０に進み、負荷側末端位置と前回確認位置との中間の低圧線末端の電灯計器の電圧を確認する（Ｕ１０）。そして、ステップＵ６に戻り、ステップＵ６以下の処理を行う。
【０１０９】
ステップＵ７の判定で、最も電源側の電圧異常電灯変圧器及び最も負荷側の電圧正常電灯変圧器が隣接位置であると判定されたときは、電圧異常電灯変圧器は複数であるか否かを判定し（Ｕ１１）、電圧異常電灯変圧器が複数であるときは、隣接する最も電源側の電圧異常電灯変圧器及び最も負荷側の電圧正常電灯変圧器との間での高圧線の断線であると判定する（Ｕ１２）。一方、ステップＵ１１の判定で電圧異常電灯変圧器が複数でないと判定されたときは、低圧線での断線箇所の探索を行う低圧線断線箇所探索部での低圧線探索の処理に移行する（Ｕ５）。
【０１１０】
ステップＵ１１の判定で、電圧異常電灯変圧器が複数でないときは、低圧線探索の処理に移行するのは、前述したように、電圧異常電灯変圧器が１つのみの場合には、主に低圧線側の柱上変圧器、または低圧線の断線の可能性があり、高圧線に断線があると判定できない場合があるからである。
【０１１１】
次に、電圧正常電灯変圧器より電源側の低圧線末端の電灯計器の電圧を確認する（Ｕ１３Ａ）。すなわち、電圧正常電灯変圧器より電源側の低圧線末端の電灯計器の電圧は異常か否かを判定し（Ｕ１４Ａ）、異常であるときはステップＵ９に戻り、電圧正常電灯変圧器より電源側に存在する別の隣接する最も負荷側の電圧正常電灯変圧器と最も電源側の電圧異常電灯変圧器を探索する。ステップＵ１４Ａの判定で、電圧正常電灯変圧器より電源側の低圧線末端の電灯計器の電圧が正常であるときは、最後に探索された隣接する最も負荷側の電圧正常電灯変圧器と最も電源側の電圧異常電灯変圧器との間に断線が発生しているとして高圧断線区間を確定する（Ｕ１５Ａ）。
【０１１２】
図１１は、本発明の実施形態に係る配電系統断線検出システムを柱上変圧器が電灯変圧器のみからなる配電線に適用した場合の低圧線断線箇所探索部の断線探索の処理内容の一例を示すフローチャートである。図８に示した柱上変圧器が動力変圧器のみからなる配電線の断線探索の処理内容のステップＴ１〜Ｔ１７に対し、対応するステップをステップＶ１〜Ｖ１７とし、動力計器を電灯計器としている。図８に示したステップＴ１〜Ｔ１７の処理内容と図１１に示したステップＶ１〜Ｖ１７の処理内容は実質的に同じである。
【０１１３】
図１１において、低圧線断線箇所探索部では、まず、高圧線断線箇所探索部で確認済みの低圧線末端の電灯計器の電圧を取り込む（Ｖ１）。そして、低圧線断線箇所探索部は、図５及び図６に基づき説明した手順で低圧線の断線探索を行う。
【０１１４】
まず、高圧線幹線、分岐線の負荷側末端の低圧線末端の電灯計器の電圧はすべて正常か否かを判定する（Ｖ２）。高圧線幹線、分岐線の負荷側末端の低圧線末端の電灯計器の電圧がすべて正常であるときは、未確認の低圧線末端の電灯計器を確認し（Ｖ３）、すべての低圧線末端の電灯計器の電圧が正常か否かを判定し（Ｖ４）、すべての低圧線末端の電灯計器の電圧が正常であるときは、未確認の低圧線の電灯計器を確認する（Ｖ５）。低圧線のすべての電灯計器の電圧が正常か否かを判定し（Ｖ６）、低圧線のすべての電灯計器の電圧が正常な場合は、断線なしと判定する（Ｖ７）。低圧線の電灯計器の電圧が異常な場合は、その電圧異常電灯計器が接続された引込線の断線または柱上ヒューズ切れと判定する（Ｖ８）。これは、図６（ｂ）の場合であり、すべての低圧線１６末端の計器Ｓの電圧は正常であることから、引込線の断線または柱上ヒューズ切れと考えられるため、未確認の低圧線１６の計器Ｓの電圧を確認する場合に相当する。
【０１１５】
ステップＶ２及びステップＶ４の判定で低圧線末端の電灯計器の電圧が異常である場合は、最も電源側の電圧異常電灯計器または最も負荷側の電圧正常電灯計器の位置情報を更新する（Ｖ９）。ステップＶ９では、最初に電灯計器の電圧が異常であると判定された段階では、電圧正常電灯計器の情報はないので、最も負荷側の電圧正常電灯計器の位置情報の更新は行われない。一方、最初に電灯計器の電圧が異常であると判定された段階では、その電灯計器が最も電源側の電圧異常電灯計器として位置情報を更新する（Ｖ９）。
【０１１６】
そして、最も電源側の電圧異常計器及び最も負荷側の電圧正常電灯計器は隣接位置であるか否かを判定する（Ｖ１０）。隣接位置ではない場合は、ステップＶ１１に進む。
【０１１７】
ステップＶ１１では、前回確認位置の電灯計器は電圧正常か否かを判定する。最初に電灯計器の電圧が異常であると判定された段階では、電圧正常電灯計器の情報はないので、ステップＶ１２に進む。ステップＶ１２では、最も電源側位置と前回確認位置との中間の電灯計器の電圧を確認する。そして、その低圧線のすべての電灯計器の電圧は異常か否かを判定し（Ｖ１３）、低圧線のすべての電灯計器の電圧が異常でないときはステップＶ９に戻り、ステップＶ９以下の処理を行う。
【０１１８】
ここで、ステップＶ１２の電圧の確認処理で、最も電源側位置と前回確認位置との中間の電灯計器の電圧が正常であると判定されたときは、低圧線のすべての電灯計器の電圧は異常ではないので、ステップＶ１３の判定によりステップＶ９に戻るが、ステップＶ９では、その中間の電灯計器を最も負荷側の電圧正常電灯計器として位置情報を更新する（Ｖ９）。
【０１１９】
そして、ステップＶ９により、最も負荷側の電圧正常電灯計器の位置情報が更新されると、最も電源側の電圧異常電灯計器及び最も負荷側の電圧正常電灯計器は隣接位置であるか否かを判定し（Ｖ１０）、隣接位置でないときは前回確認位置の電灯計器は電圧正常か否かを判定する（Ｖ１１）。
【０１２０】
次に、ステップＶ１１の判定で、前回確認位置の電灯計器の電圧は正常と判定されると、ステップＶ１４に進み、負荷側末端位置と前回確認位置との中間の電灯計器の電圧を確認する（Ｖ１４）。そして、ステップＶ９に戻り、ステップＶ９以下の処理を行う。
【０１２１】
そして、ステップＶ１０の判定で、最も電源側の電圧異常電灯計器及び最も負荷側の電圧正常電灯計器が隣接位置であると判定されたときは、電圧異常電灯計器は複数であるか否かを判定し（Ｖ１５）、電圧異常電灯計器が複数であるときは、低圧線の断線であると判定する（Ｖ１６）。すなわち、隣接する最も電源側の電圧異常電灯計器及び最も負荷側の電圧正常電灯計器との間の低圧線での断線であると判定する。これは、図５（ｂ）、図６（ａ）の場合である。一方、ステップＶ１５の判定で電圧異常電灯計器が複数でないと判定されたときは、最も電源側の電圧異常電灯計器及び最も負荷側の電圧正常電灯計器との間の低圧線か、その電圧異常電灯計器が接続された引込線の断線または柱上ヒューズ切れと判定する（Ｖ８）。これは、図５（ｃ）の場合である。
【０１２２】
また、ステップＶ１３の判定で、低圧線のすべての電灯計器の電圧が異常であるときは、最も電源側の電灯計器より電源側の低圧線、柱上変圧器または高圧線の断線であると判定する（Ｖ１７）。これは図５（ａ）に示す場合であり、図５（ａ）では高圧線の断線である場合を示している。
【０１２３】
次に、本発明の実施形態に係る配電系統断線検出システムを柱上変圧器が動力変圧器と電灯変圧器とが混在してなる配電線の場合について説明する。柱上変圧器が動力変圧器と電灯変圧器とが混在してなる配電線の場合には、動力変圧器間での断線探索を行い、その後に電灯変圧器間での断線探索を行う。
【０１２４】
図１２は、本発明の実施形態に係る配電系統断線検出システムを柱上変圧器が動力変圧器と電灯変圧器とが混在してなる配電線に適用した場合の高圧線断線箇所探索部による動力変圧器間での断線探索の処理内容の一例を示すフローチャートである。図７に示した柱上変圧器が動力変圧器のみからなる配電線の断線探索の処理内容のステップＳ１〜Ｓ１２に対し、ステップＳ４の後段に、負荷側末端の動力変圧器より負荷側に電灯変圧器があるか否かを判定するステップＳ１３Ａ及び負荷側末端の動力変圧器より負荷側に電灯変圧器がある場合には電灯変圧器の探索（ａ）の処理を行うステップＳ１４Ａを追加して設けるとともに、ステップＳ７〜ステップＳ１１間に、動力変圧器の隣接区間内に電灯変圧器があるか否かを判定するステップＳ１５Ａ及び動力変圧器の隣接区間内に電灯変圧器がある場合には電灯変圧器の探索（ｂ）の処理を行うステップＳ１６Ａを追加して設けたものである。図７と同一処理内容には同一符号を付し重複する説明は省略する。
【０１２５】
図１２において、ステップＳ３の判定で高圧線幹線、分岐線の負荷側末端の低圧線末端の動力計器の電圧が正常である場合には、高圧線幹線、分岐線の負荷側末端に未確認の低圧線末端の動力計器はあるか否かを判定し（Ｓ４）、高圧線幹線、分岐線の負荷側末端に未確認の低圧線末端の動力計器はある場合にはステップＳ２に戻る。一方、ステップＳ４の判定で、高圧線幹線、分岐線の負荷側末端に未確認の低圧線末端の動力計器がない場合には、負荷側末端の動力変圧器より負荷側に電灯変圧器があるか否かを判定（Ｓ１３Ａ）し、負荷側末端の動力変圧器より負荷側に電灯変圧器がないと判定されたときは、低圧線断線箇所探索部での低圧線探索の処理に移行する（Ｓ５）。ステップＳ５の低圧線探索処理は図８に示した処理内容と同一であるので説明を省略する。
【０１２６】
ステップＳ１３Ａの判定で、負荷側末端の動力変圧器より負荷側に電灯変圧器があると判定された場合には、電灯変圧器の探索（ａ）の処理を行い（Ｓ１４Ａ）、負荷側末端の動力変圧器より負荷側に存在する電灯変圧器の断線探索を行う。電灯変圧器の探索（ａ）の処理内容については後述する。
【０１２７】
一方、ステップＳ７の判定で、最も電源側の電圧異常動力変圧器及び最も負荷側の電圧正常動力変圧器は隣接位置であると判定されたときは、動力変圧器の隣接区間内に電灯変圧器があるか否かを判定し（Ｓ１５Ａ）、動力変圧器の隣接区間内に電灯変圧器がないときは、電圧異常動力変圧器は複数であるか否かを判定し（Ｓ１１）、電圧異常動力変圧器が複数であるときは、隣接する最も電源側の電圧異常動力変圧器及び最も負荷側の電圧正常動力変圧器との間での高圧線の断線であると判定する（Ｓ１２）。また、ステップＳ１１の判定で電圧異常動力変圧器が複数でないと判定されたときは、低圧線での断線箇所の探索を行う低圧線断線箇所探索部での低圧線探索の処理に移行する（Ｓ５）。ステップＳ５の低圧線探索処理は図８に示した処理内容と同一であるので説明を省略する。
【０１２８】
ステップＳ１５Ａの判定で動力変圧器の隣接区間内に電灯変圧器があると判定された場合には電灯変圧器の探索（ｂ）の処理を行い（Ｓ１６Ａ）、動力変圧器の隣接区間内の電灯変圧器の断線探索を行う。電灯変圧器の探索（ｂ）の処理内容については後述する。
【０１２９】
図１３は、図１２における電灯変圧器の探索（ａ）の処理内容の一例を示すフローチャートである。図１０に示した柱上変圧器が電灯変圧器のみからなる配電線の断線探索の処理内容のステップＵ１〜Ｕ１５Ａに対し、高圧線幹線、分岐線の低圧線末端の電灯計器の電圧を負荷側から順番に確認するステップＵ２Ａに代えて、高圧線幹線、分岐線の負荷側末端の動力変圧器までの電灯変圧器の低圧線末端の電灯計器の電圧を負荷側から順番に確認するステップＵ２Ｂとし、高圧線幹線、分岐線の低圧線末端の電灯計器の電圧は正常か否かを判定するステップＵ３Ａに代えて、負荷側末端の動力変圧器までの電灯変圧器の低圧線末端の電灯計器の電圧は正常か否かを判定するステップＵ３Ｂとしたものである。図１０と同一処理内容には同一符号を付し重複する説明は省略する。
【０１３０】
図１２における電灯変圧器の探索（ａ）は、高圧線断線箇所探索部１７により、負荷側末端の動力変圧器より負荷側に電灯変圧器が存在すると判定された場合の電灯変圧器の断線探索を行う処理であることから、負荷側から順番に負荷側末端の動力変圧器までの電灯変圧器の低圧線末端の電灯計器の電圧を確認することになる（Ｕ２Ｂ）。
【０１３１】
すなわち、負荷側から順番に、負荷側末端の動力変圧器までの電灯変圧器の低圧線末端の電灯計器の電圧は正常か否かを判定し（Ｕ３Ｂ）、低圧線末端の電灯計器の電圧が正常である場合には、未確認の低圧線末端の電灯計器はあるか否かを判定し（Ｕ４Ａ）、未確認の低圧線末端の電灯計器がある場合にはステップＵ２Ｂに戻る。ステップＵ４Ａの判定で、未確認の低圧線末端の電灯計器がない場合には、すべての低圧線末端の電灯計器の電圧は正常であるので、低圧線での断線箇所の探索を行う低圧線断線箇所探索部での低圧線探索の処理に移行する（Ｕ５）。ステップＵ５の低圧線探索処理は図１１に示した処理内容と同一であるので説明を省略する。
【０１３２】
図１４は、図１２における電灯変圧器の探索（ｂ）の処理内容の一例を示すフローチャートである。図１０に示した柱上変圧器が電灯変圧器のみからなる配電線の断線探索の処理内容のステップＵ１〜Ｕ１５Ａに対し、高圧線幹線、分岐線の低圧線末端の電灯計器の電圧を負荷側から順番に確認するステップＵ２Ａに代えて、隣接した動力変圧器間の電灯変圧器の低圧線末端の電灯計器の電圧を負荷側から順番に確認するステップＵ２Ｃとし、高圧線幹線、分岐線の低圧線末端の電灯計器の電圧は正常か否かを判定するステップＵ３Ａに代えて、隣接した動力変圧器間の電灯変圧器の低圧線末端の電灯計器の電圧は正常か否かを判定するステップＵ３Ｃとしたものである。図１０と同一処理内容には同一符号を付し重複する説明は省略する。図１０と同一処理内容には同一符号を付し重複する説明は省略する。
【０１３３】
図１２における電灯変圧器の探索（ｂ）は、高圧線断線箇所探索部１７により、隣接した動力変圧器間に電灯変圧器が存在すると判定された場合の電灯変圧器の断線探索を行う処理であることから、隣接した動力変圧器間の電灯変圧器の低圧線末端の電灯計器の電圧を負荷側から順番に確認することになる（Ｕ２Ｃ）。
【０１３４】
すなわち、隣接した動力変圧器間の電灯変圧器の低圧線末端の電灯計器の電圧は正常か否かを判定し（Ｕ３Ｃ）、低圧線末端の電灯計器の電圧が正常である場合には、未確認の低圧線末端の電灯計器はあるか否かを判定し（Ｕ４Ａ）、未確認の低圧線末端の電灯計器がある場合にはステップＵ２Ａに戻る。ステップＵ４Ａの判定で、未確認の低圧線末端の電灯計器がない場合には、すべての低圧線末端の電灯計器の電圧は正常であるので、低圧線での断線箇所の探索を行う低圧線断線箇所探索部での低圧線探索の処理に移行する（Ｕ５）。ステップＵ５の低圧線探索処理は図１１に示した処理内容と同一であるので説明を省略する。
【０１３５】
このように、柱上変圧器が動力変圧器と電灯変圧器とが混在してなる配電線に対しては、まず、動力変圧器間での断線探索を行い、その後に電灯変圧器間での断線探索を行う。動力変圧器間での断線探索にて、負荷側末端の動力変圧器より負荷側に電灯変圧器がある場合には電灯変圧器の探索（ａ）の処理を行い、動力変圧器の隣接区間内に電灯変圧器があると判定された場合には電灯変圧器の探索（ｂ）の処理を行い、断線箇所を探索する。
【０１３６】
ここで、高圧線断線箇所探索部１７及び低圧線断線箇所探索部２０は、計器Ｓの電圧を受信できないときは、計器Ｓの電圧は異常であると判定することで断線探索の処理を行う。すなわち、計器Ｓの電圧を受信できない場合として、計器自体が応答不能となった場合が考えられるが、低圧側の配電線に断線が発生し低圧側の配電線の電圧が所定値以下になったときも計器は計測した電圧を送信できなくなる。そこで、本発明の実施形態では、計器Ｓの電圧を受信できないときは計器Ｓの電圧は異常であると判定することで断線探索の処理を行う。
【０１３７】
また、高圧線断線箇所探索部１７は、配電線に断線兆候があったときに断線検出要求が入力され起動されるが、断線兆候としては、需要家からの報告があった場合や台風や雷などの自然現象が発生した場合に加え、計器Ｓを輪番で監視してその輪番で監視した計器Ｓの電圧が異常であるとき、配電用変電所の保護リレー動作したとき、開閉器１４に内蔵のセンサが電圧異常を検知したときなどに、断線兆候が発生したとして高圧線断線箇所探索部１７に断線検出要求を入力するようにしてもよい。
【０１３８】
本発明の実施形態によれば、断線箇所の探索に必要とする情報は計器Ｓで計測された電圧のみであり、断線探索のロジックでは電圧を用いて断線箇所を判断可能であるので、計器Ｓの接続相を管理する必要がない。また、計器Ｓで計測された電圧を高圧線断線箇所探索部１７や低圧線断線箇所探索部２０に送信し、高圧線断線箇所探索部１７や低圧線断線箇所探索部２０で断線探索の処理を行うので、計器Ｓは計測した電圧を送信するだけでよく、計器Ｓから高圧線断線箇所探索部１７や低圧線断線箇所探索部２０に送信するデータ量も軽減でき、計器Ｓの高性能化や大きな通信容量を確保する必要がない。
【０１３９】
しかも、高圧線断線箇所探索部１７や低圧線断線箇所探索部２０は、断線兆候が発生したとして高圧線断線箇所探索部１７に断線検出要求が入力されたときにだけに起動するので、計器側での判断処理や発呼処理が必要なく、計器Ｓの高性能化や高性能通信機能を必要としない。従って、現状の一般的な計器（スマートメータ）や通信設備の仕様にて断線を検出することができ、低廉なスペックの設備にて配電系統断線検出システムを構築することが可能となる。
【０１４０】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【０１４１】
１１…配電変圧器、１２…遮断器、１３…高圧線、１４…開閉器、１５…柱上変圧器、１６…低圧線、１７…高圧線断線箇所探索部、１８…データ受信部、１９…出力装置、２０…低圧線断線箇所探索部
【図１】
0006492529.tif 000002
【図２】
0006492529.tif 000003
【図３】
0006492529.tif 000004
【図４】
0006492529.tif 000005
【図５】
0006492529.tif 000006
【図６】
0006492529.tif 000007
【図７】
0006492529.tif 000008
【図８】
0006492529.tif 000009
【図９】
0006492529.tif 000010
【図１０】
0006492529.tif 000011
【図１１】
0006492529.tif 000012
【図１２】
0006492529.tif 000013
【図１３】
0006492529.tif 000014
【図１４】
0006492529.tif 000015